【事件の表示】
　特許第２９１１２１４号「印字制御装置」の特許に対する特許異議の申立てについて、次のとおり決定する。
【結　論】
　訂正を認める。
　特許第２９１１２１４号の請求項１に係る特許を維持する。
【理　由】
［１］手続きの経緯
　本件特許第２９１１２１４号発明は、平成２年１１月２７日に特許出願され、平成１１年４月９日にその特許の設定登録がなされ、その後、相原光政より請求項１に係る発明について特許異議の申立てがなされ、最初の取消理由通知がなされ、その指定期間内である平成１２年７月２４日に最初の訂正請求がなされ、再度の取消理由通知がなされ、その指定期間内である平成１２年９月４日に再度の訂正請求がなされると共に最初の訂正請求が取り下げられたものである。
［２］訂正の適否についての判断
１．訂正の要旨
（１）訂正事項ａ
　特許請求の範囲を次に訂正する。
「【請求項１】搬送路を搬送中の枚葉紙からなる用紙の先端と後端を検出する用紙検出センサと、
　搬送路と対向し、前記用紙検出センサの用紙搬送方向下流側に配置された印字ヘッドと、
　前記印字ヘッドと前記用紙検出センサとの位置及び用紙先端からの印字開始位置を第１の設定値として記憶し、該印字ヘッドと該用紙検出センサとの位置及び用紙後端からの印字停止位置を、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより、第２の設定値として記憶する記憶部と、
　予め前記記憶部から第１の設定値を入力する第１のカウンタと、
　予め前記記憶部から第２の設定値を入力する第２のカウンタと、
　前記第１のカウンタの出力に基づいて印字を開始し、前記第２のカウンタの出力に基づいて印字を停止するように印字動作を制御する印字制御部とを備え、
　前記第１のカウンタは前記用紙先端検出出力に基づいてカウントを開始し、前記第１の設定値のカウント終了に基づいて印字開始信号を前記印字制御部に出力し、
　前記第２のカウンタは前記用紙後端検出出力に基づいてカウントを開始し、前記第２の設定値のカウント終了に基づいて印字停止信号を前記印字制御部に出力する
ことを特徴とする印字制御装置。
  【請求項２】搬送路を搬送中の用紙の先端と後端を検出する用紙検出センサと、
　搬送路と対向し、前記用紙検出センサの用紙搬送方向下流側に配置された印字ヘッドと、
　前記印字ヘッドと前記用紙検出センサとの位置及び用紙先端からの印字開始位置を第１の設定値として記憶し、該印字ヘッドと該用紙検出センサとの位置及び用紙後端からの印字停止位置を第２の設定値として記憶する記憶部と、
　予め前記記憶部から第１の設定値を入力する第１のカウンタと、
　予め前記記憶部から第２の設定値を入力する第２のカウンタと、
　前記第１のカウンタの出力に基づいて印字を開始し、前記第２のカウンタの出力に基づいて印字を停止するように印字動作を制御する印字制御部とを備え、
　前記第１のカウンタは前記用紙先端検出出力に基づいてカウントを開始し、前記第１の設定値のカウント終了に基づいて印字開始信号を前記印字制御部に出力し、
　前記第２のカウンタは前記用紙後端検出出力に基づいてカウントを開始し、前記第２の設定値のカウント終了に基づいて印字停止信号を前記印字制御部に出力し、
　前記印字制御部は、第１のカウンタの設定値の補正と連動させて、第２のカウンタの設定値を補正するよう印字動作を制御することを特徴とする印字制御装置。」
（２）訂正事項ｂ
　発明の詳細な説明の（課題を解決するための手段）の項の「搬送中の用紙」を「搬送中の枚葉紙からなる用紙」と、「印字停止位置を第２の設定値として」を「印字停止位置を、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより、第２の設定値として」と、それぞれ訂正する。
（３）訂正事項ｃ
　発明の詳細な説明の（作用）の項の「搬送中の用紙」を「搬送中の枚葉紙からなる用紙」と、「印字ヘッドと、・・・記憶部と」を「印字ヘッドと、印字ヘッドと用紙検出センサとの位置及び用紙先端からの印字開始位置を第１の設定値として記憶し、印字ヘッドと用紙検出センサとの位置及び用紙後端からの印字停止位置を、予め決められたボトムマージンで規定される印字領域内に納まるべき印字量の最終印字行が実際の印字において印字領域内に納まらないときに、最終印字行を最終印字行として全て印字できるようにオペレータがボトムマージンを補正することにより、第２の設定値として記憶する記憶部」と、「これにより・・・可能となる。」を「これにより、機構寸法誤差、改行ピッチ誤差及び用紙検出誤差の検出精度バラツキによる印字位置ずれを無くすことができる。しかも、ボトムマージンは予め決められたボトムマージンで規定される印字領域内に納まるべき印字量の最終印字行が実際の印字において印字領域内に納まらないときに、最終印字行を最終印字行として全て印字できるように補正して設定されるので、最終印字行の全ての印字データがその印字領域内に印字されるように制御が可能となる。」と、それぞれ訂正する。
（４）訂正事項ｄ
　発明の詳細な説明の（発明の効果）の項の「無くすことができる。・・・可能となる。」を「無くすことができる。しかも、ボトムマージンは印字ヘッドと用紙検出センサとの位置及び用紙後端からの印字停止位置を、予め決められたボトムマージンで規定される印字領域内に納まるべき印字量の最終印字行が実際の印字において該印字領域内に納まらないときに、最終印字行を最終印字行として全て印字できるようにオペレータがボトムマージンを補正することにより設定されるので、最終印字行の全ての印字データがその印字領域内に印字されるように制御可能な装置を提供することができる。」と訂正する。
２．訂正の目的、新規事項禁止、拡張変更禁止の各要件の判断
（１）訂正事項ａ
　請求項１についての訂正は、用紙の所定の領域に印字が要求されるため用紙のトップマージンやボトムマージンが設定されて印字制御が行われていること（本件特許公報２頁３欄３〜７行参照）、予め想定したトップマージンに取付位置や駆動ピッチ等による機械的誤差が生じた場合にはオペレータが設定値を補正してメモリに保持して次回も使用すればよいが、ボトムマージンについては、用紙長さや印字ヘッド及び用紙検出センサの間隔により決定したとしても、取付位置の誤差に加え検出精度のバラツキや用紙サイズ・質等により最終印字行の位置が装置や用紙毎に異なる場合があり、所定規格の用紙であっても本来所定の印字領域内に納まるべき印字データが領域内に印字できなくなるという問題が生じていたこと（同２頁４欄２９〜４８行参照）、用紙検出センサの出力が時刻Ｔ１において用紙先端を検出して立上がり時刻Ｔ３において用紙後端を検出して立下がること（同３頁６欄２０〜２３行及び第５図参照）、時刻Ｔ４に最終行の印字が行われるが、印字量に応じてボトムマージンを適切に設定すれば本来印字されるべきものが印字されなくなるという問題は生じず、その設定はトップマージンの設定と同様にオペレーション部を操作して行い、オペレータが再設定や増減補正を行え、カウンタ設定値を変更すればパルスモータに印加される１パルス分ずつ搬送量を増減制御できること（同４頁７欄６〜２４行及び第１，６図参照）、等の記載に基づいて、願書に添付した明細書に記載した事項の範囲内で用紙と第２の設定値とを限定するものであり、特許請求の範囲の減縮を目的とするものであって、上記各要件を満たすものである。
　なお、請求項２についての訂正は、上記請求項１の訂正によって内容が変わることのないように、特許時の請求項１の記載をそのまま記載して記載形式を単に独立形式に改めたものである。
（２）訂正事項ｂ，ｃ，ｄ
　これらの訂正は、訂正事項ａに伴う訂正であり、上記各要件を満たすものである。
３．独立特許要件の判断と訂正の適否のまとめ
　以下に述べるように、訂正後の請求項１に係る発明は特許出願の際独立して特許を受けることができない発明とすることはできないことから、上記訂正は、特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
［３］再度の取消理由についての判断
　再度の取消理由は次のとおりである。
「１．訂正の適否について
　平成１２年７月２４日付けの訂正請求は、特許請求の範囲の減縮を目的として、請求項１を「印字量」の用語を用いて訂正しようとするものであるが、「印字量」について特定もなく、「印字量に応じて設定された印字停止位置」が不明瞭であるため、訂正明細書の請求項１に係る発明は、特許法第３６条第４，５項に規定する要件を満たしていない出願の発明であり、特許出願の際独立して特許を受けることができないものであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第３項の規定に適合しないので、当該訂正を認めない。
　２．取消理由について
　本件明細書の課題・目的・効果の記載からみて、本件請求項１に係る発明は、枚葉紙特有の問題を解決するものであって、本来所定の印字領域内に納まるべき印字データが最終印字行まで完全には印字できなくなるという問題を解決するものであるが、特許請求の範囲の請求項１にはそのための構成要件が特定事項として記載されていないため、本件請求項１に係る発明の特許は、特許法第３６条第４，５項に規定する要件を満たしていない出願に対してなされたものである。
　なお、この取消理由通知は、訂正拒絶理由通知を兼用している。」
　検討するに、上記訂正により再度の取消理由は解消されたものと認められる。
［４］異議申立についての判断
１．本件請求項１に係る発明
　本件請求項１に係る発明は、訂正明細書及び図面の記載からみて、訂正明細書の特許請求の範囲の請求項１に記載された事項により特定される次のとおりのものである。
「搬送路を搬送中の枚葉紙からなる用紙の先端と後端を検出する用紙検出センサと、
　搬送路と対向し、前記用紙検出センサの用紙搬送方向下流側に配置された印字ヘッドと、
　前記印字ヘッドと前記用紙検出センサとの位置及び用紙先端からの印字開始位置を第１の設定値として記憶し、該印字ヘッドと該用紙検出センサとの位置及び用紙後端からの印字停止位置を、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより、第２の設定値として記憶する記憶部と、
　予め前記記憶部から第１の設定値を入力する第１のカウンタと、
　予め前記記憶部から第２の設定値を入力する第２のカウンタと、
　前記第１のカウンタの出力に基づいて印字を開始し、前記第２のカウンタの出力に基づいて印字を停止するように印字動作を制御する印字制御部とを備え、
　前記第１のカウンタは前記用紙先端検出出力に基づいてカウントを開始し、前記第１の設定値のカウント終了に基づいて印字開始信号を前記印字制御部に出力し、
　前記第２のカウンタは前記用紙後端検出出力に基づいてカウントを開始し、前記第２の設定値のカウント終了に基づいて印字停止信号を前記印字制御部に出力する
ことを特徴とする印字制御装置。」（以下、「本件発明」という。）
２．異議申立ての証拠とその記載事項
　これに対し、異議申立人は、甲第１号証を提出し、本件発明は、甲第１号証に記載された発明に基づいて当業者が容易に発明をすることができたものであるから、特許法第２９条第２項の規定により特許を受けることができない旨主張している（当審が通知した最初の取消理由は、申立人が提出した証拠と主張理由をそのまま採用したものである。）。
　甲第１号証とその記載事項は次のとおりである。
　甲第１号証：特開平２−２５５３６６号公報
「本発明は、記録装置に関し、特に記録素子群を有した記録ヘッドを記録媒体に対して所定方向にシリアルスキャンして記録媒体に記録を行う形態の記録装置に関するものである。」（２頁左上欄３〜６行）、「ところで・・・記録媒体後端部側に所定量の余白部が設けられるのが一般的である。・・・記録媒体には種々の寸法のものが存在するために、１ラインの記録幅を大とする程余白部を所定量に設定することが困難となってくる。本発明の目的は、シリアルスキャン方式の記録装置において、１ラインの記録幅を大として記録速度を向上するとともに、記録媒体に設けるべき余白部を所定量に制御できるようにすることにある。」（２頁右上欄２０行〜左下欄１２行）、「本発明によれば、記録の最終走査の場合に限り、記録媒体サイズに応じてヘッドの記録幅を制御し、所定の後端余白を確保することが可能となる。」（２頁右下欄５〜８行）、「第１図は本発明の・・・模式図である。・・・１は記録媒体、２は記録媒体１の搬送方向８に範囲Ｌにわたって吐出口を複数（本例では１２８個）配列したインクジェット記録ヘッドである。・・・３は記録媒体１を検出するためのセンサである。」（２頁右下欄下７行〜３頁左上欄２行）、「記録媒体１に対して・・・吐出口の第１番・・・から第１２８番・・・により記録がなされ・・・ｌ１＝・・・＝ｌｎ−１（＝Ｌ）であるが、最終ラインスキャン時の記録幅ｌｎについては後端余白マージンβを確保するべく、第ｘ番目の吐出口から第１２８番までの吐出口までを用いて記録がなされる・・・まず、最初に記録媒体が送給（給紙）され・・・センサ３の通過後・・・先端マージンαを確保する所要量Ａだけ・・・搬送され・・・その後、第１回目のスキャンが行なわれ・・・再度・・・ライン幅ｌづつ送られ・・・センサ３により記録媒体の通過を監視し・・・記録媒体後端が通過して紙無しが検知された場合には、以下のような制御を行なう。すなわち、現在既に送った量ｄと所定の紙送り量ｌとの差を算出し、この差と後端余白βを制御するために必要な残りの搬送量γと比較する・・・ｌ−ｄ＞γであれば、あとγだけ搬送を行なえば後端余白が確保され・・・スキャンを行った後に記録媒体を排出する・・・一方、ｌ−ｄ≦γであれば、ｌ−ｄだけ搬送を行ない・・・一度全吐出口を使用して記録を行なう・・・そして、最終的にγ−（ｌ−ｄ）だけ記録媒体が搬送され・・・これにより、後端マージンが所定量βに制御される。・・・肯定判定された場合・・・最終走査時における吐出口番号ｘの値は・・・１２８×（ｌ−ｄ−γ）／ｌ・・・一方、否定された場合は・・・１２８×（２ｌ−ｄ−γ）／ｌ・・・となる。」（３頁左下欄９行〜４頁右上欄１行）、「なお、記録媒体の搬送量を示すための指標ｄの歩進の態様としては・・・ステップモータが使用される場合には駆動ステップ毎の割込みにより行なうこともできる。すなわち、第４図（Ｂ）に示すように、例えばＲＡＭに設けたｄのカウンタ領域の内容が＋１に歩進されるようにすればよい。また、センサ３の配設位置等に応じて上記γ値は適宜定め得るのは勿論である。」（４頁右上欄６〜１６行）、等が図面第１〜５図と共に記載されている。
　これらの記載をまとめると、甲第１号証には次の技術的事項が開示されている。
（１）センサ３が搬送路を搬送中の枚葉紙からなる記録媒体１の先端と後端を検出するものであること。
（２）記録ヘッド２がセンサ３の記録媒体１の搬送方向下流側において搬送路と対向して配置されていること。
（３）先端マージンαを確保して印字を開始するために、記録媒体１の先端検出後に搬送される所要量Ａが設定されており、先端を検出すると引き続き所要量Ａ送って印字を開始すること。
（４）後端余白マージンβを確保して印字を終了するために、記録媒体１の後端検出後のトータルの搬送量γが設定されており、後端を検出すると、先ず現在既に送った量ｄと所定の紙送り量ｌとの差を算出し、この差と搬送量γとを比較して、ｌ−ｄ＞γであればγ送り、ｌ−ｄ≦γであれば、全吐出記録のためのｌ−ｄ送りと一部吐出記録のためのγ−（ｌ−ｄ）送りの２段階の送りでトータルの送りをγとして印字を終了すること。
（５）歩進のためのカウンタの使用が示唆されていること。
３．対比・判断
　本件発明（前者）と甲第１号証記載の発明（後者）とを対比するに、後者の記録媒体１、記録ヘッド２、センサ３は前者の用紙、印字ヘッド、用紙検出センサにそれぞれ相当し、後者において、所要量Ａ及び搬送量γを記録ヘッド２とセンサ３との位置及び先端マージンα又は後端余白マージンβで設定して記憶しておくこと、及び印字開始及び印字停止のために信号を印字制御部に出力することは当然の設計的事項であり、カウンタ使用の示唆に基づけば、印字開始及び印字停止のための信号出力にカウンタを使用すること、特に印字開始信号の出力のためには単に所要量Ａに対応する設定値のカウントで出力できることは明らかであることから、両者は、“搬送路を搬送中の枚葉紙からなる用紙の先端と後端を検出する用紙検出センサと、搬送路と対向し、前記用紙検出センサの用紙搬送方向下流側に配置された印字ヘッドと、前記印字ヘッドと前記用紙検出センサとの位置及び用紙先端からの印字開始位置を第１の設定値として記憶し、該印字ヘッドと該用紙検出センサとの位置及び用紙後端からの印字停止位置を第２の設定値として記憶する記憶部と、予め前記記憶部から第１の設定値を入力する第１のカウンタと、前記第１のカウンタの出力に基づいて印字を開始し、印字停止信号の出力に基づいて印字を停止するように印字動作を制御する印字制御部とを備え、前記第１のカウンタは前記用紙先端検出出力に基づいてカウントを開始し、前記第１の設定値のカウント終了に基づいて印字開始信号を前記印字制御部に出力し、前記第２の設定値に基づいて印字停止信号を前記印字制御部に出力する印字制御装置”において一致し、次の点で相違する。
　相違点１：第２の設定値について、前者が、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより設定しているのに対し、後者は、搬送量γを設定している点。
　相違点２：第２の設定値に基づく印字停止信号の出力について、前者が、予め記憶部から第２の設定値を入力する第２のカウンタを設け、第２のカウンタは用紙後端検出出力に基づいてカウントを開始し、第２の設定値のカウント終了に基づいて印字停止信号を出力するのに対し、後者は、カウンタをどのように設けるのか定かでなく、用紙後端検出出力に基づいて、先ず現在既に送った量ｄと所定の紙送り量ｌとの差を算出し、この差と第２の設定値である搬送量γとを比較して、ｌ−ｄ＞γであればγ送って印字停止信号を出力し、ｌ−ｄ≦γであればｌ−ｄ送った後γ−（ｌ−ｄ）送って印字停止信号を出力する点。
　相違点１について検討するに、後者の搬送量γはセンサ３の配設位置等に応じて適宜定め得るものであるとしても、その適宜定められた搬送量γは前者の“予め決められたボトムマージン”に対応する設定値に相当するものであって、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより設定されるものではなく、かつ、後者は、最終ラインのシリアルスキャン時に吐出口を選択して、後端余白マージンβを予め決められたとおりに確保しようとするものであるため、後者によっては、前者の上記補正による設定が示唆されているとも容易に想起されることとも認められない。
　相違点２について検討するに、後者は、印字停止信号の出力に係るカウンタを第１のカウンタとは別に設けることを示唆していないだけでなく、仮に、別に設けることが容易に想起されたとしても、γをカウントして印字停止信号を出力する場合と、ｌ−ｄをカウントした後にγ−（ｌ−ｄ）をカウントして印字停止信号を出力する場合とを考慮しなければならないものであって、しかも、ｌ−ｄとγ−（ｌ−ｄ）はｄによって変動するため、一つの設定値を入力するカウンタのみを設け、その一つの設定値のカウント終了に基づいてのみ印字停止信号を出力することまでを直ちに容易に想起し得るとはいえない。
　申立人は、後者におけるｌ−ｄ＞γの場合とｌ−ｄ≦γの場合との動作の異なりは単に後端検出後の記録走査が異なっているに過ぎないから搬送量γのカウントで印刷を終了していることに変わりはない旨主張しているが、該動作の異なりには、場合に応じたカウントと吐出口選択との異なる組合せにより後端余白マージンβを予め決められたとおりに確保できるという意義があり、そのためｌ−ｄ≦γの場合にはｌ−ｄをカウントした後にγ−（ｌ−ｄ）をカウントしているのであって、これを単にγカウントしたと同じことと直ちにはいえないから、この主張は採用できない。
　仮に、従来のカウンタの用い方からみて、同じカウンタにおけるγカウント途中においてｌ−ｄまでカウントしたときに、ｌ−ｄが変動するものであるとしても、吐出口選択に係る信号を出力するようになすことが容易に想起されるならば、相違点２は容易に想起し得ることといえなくもないが、その場合においても相違点１を容易に想起し得るとは認められない。
　そして、本件発明は、特に上記相違点に係る事項により、トップマージンとボトムマージンを独立に正確に設定でき、機構寸法誤差、改行ピッチ誤差及び用紙検出誤差の検出精度バラツキによる印字位置ずれを無くすことができるだけでなく、ボトムマージンは、予め決められたボトムマージンで規定される印字領域内に納まるべき印字量の最終印字行が実際の印字において印字領域内に納まらないときに、最終印字行を最終印字行として全て印字できるように補正して設定されるので、最終印字行の全ての印字データがその印字領域内に印字されるように制御が可能になるという格別の効果を奏することから、甲第１号証に記載された発明に基づいて当業者が容易に発明をすることができたものであるとは認められない。
［５］むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年９月６日（２０００．９．６）
【訂正の要旨】
　訂正の要旨
（１）訂正事項ａ
　特許請求の範囲を次に訂正する。
「【請求項１】搬送路を搬送中の枚葉紙からなる用紙の先端と後端を検出する用紙検出センサと、
　搬送路と対向し、前記用紙検出センサの用紙搬送方向下流側に配置された印字ヘッドと、
　前記印字ヘッドと前記用紙検出センサとの位置及び用紙先端からの印字開始位置を第１の設定値として記憶し、該印字ヘッドと該用紙検出センサとの位置及び用紙後端からの印字停止位置を、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより、第２の設定値として記憶する記憶部と、
　予め前記記憶部から第１の設定値を入力する第１のカウンタと、
　予め前記記憶部から第２の設定値を入力する第２のカウンタと、
　前記第１のカウンタの出力に基づいて印字を開始し、前記第２のカウンタの出力に基づいて印字を停止するように印字動作を制御する印字制御部とを備え、
　前記第１のカウンタは前記用紙先端検出出力に基づいてカウントを開始し、前記第１の設定値のカウント終了に基づいて印字開始信号を前記印字制御部に出力し、
　前記第２のカウンタは前記用紙後端検出出力に基づいてカウントを開始し、前記第２の設定値のカウント終了に基づいて印字停止信号を前記印字制御部に出力する
ことを特徴とする印字制御装置。
　【請求項２】搬送路を搬送中の用紙の先端と後端を検出する用紙検出センサと、
　搬送路と対向し、前記用紙検出センサの用紙搬送方向下流側に配置された印字ヘッドと、
　前記印字ヘッドと前記用紙検出センサとの位置及び用紙先端からの印字開始位置を第１の設定値として記憶し、該印字ヘッドと該用紙検出センサとの位置及び用紙後端からの印字停止位置を第２の設定値として記憶する記憶部と、
　予め前記記憶部から第１の設定値を入力する第１のカウンタと、
　予め前記記憶部から第２の設定値を入力する第２のカウンタと、
　前記第１のカウンタの出力に基づいて印字を開始し、前記第２のカウンタの出力に基づいて印字を停止するように印字動作を制御する印字制御部とを備え、
　前記第１のカウンタは前記用紙先端検出出力に基づいてカウントを開始し、前記第１の設定値のカウント終了に基づいて印字開始信号を前記印字制御部に出力し、
　前記第２のカウンタは前記用紙後端検出出力に基づいてカウントを開始し、前記第２の設定値のカウント終了に基づいて印字停止信号を前記印字制御部に出力し、
　前記印字制御部は、第１のカウンタの設定値の補正と連動させて、第２のカウンタの設定値を補正するよう印字動作を制御することを特徴とする印字制御装置。」
（２）訂正事項ｂ
　発明の詳細な説明の（課題を解決するための手段）の項の「搬送中の用紙」を「搬送中の枚葉紙からなる用紙」と、「印字停止位置を第２の設定値として」を「印字停止位置を、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより、第２の設定値として」と、それぞれ訂正する。
（３）訂正事項ｃ
　発明の詳細な説明の（作用）の項の「搬送中の用紙」を「搬送中の枚葉紙からなる用紙」と、「印字ヘッドと、・・・記憶部と」を「印字ヘッドと、印字ヘッドと用紙検出センサとの位置及び用紙先端からの印字開始位置を第１の設定値として記憶し、印字ヘッドと用紙検出センサとの位置及び用紙後端からの印字停止位置を、予め決められたボトムマージンで規定される印字領域内に納まるべき印字量の最終印字行が実際の印字において印字領域内に納まらないときに、最終印字行を最終印字行として全て印字できるようにオペレータがボトムマージンを補正することにより、第２の設定値として記憶する記憶部」と、「これにより・・・可能となる。」を「これにより、機構寸法誤差、改行ピッチ誤差及び用紙検出誤差の検出精度バラツキによる印字位置ずれを無くすことができる。しかも、ボトムマージンは予め決められたボトムマージンで規定される印字領域内に納まるべき印字量の最終印字行が実際の印字において印字領域内に納まらないときに、最終印字行を最終印字行として全て印字できるように補正して設定されるので、最終印字行の全ての印字データがその印字領域内に印字されるように制御が可能となる。」と、それぞれ訂正する。
（４）訂正事項ｄ
　発明の詳細な説明の（発明の効果）の項の「無くすことができる。・・・可能となる。」を「無くすことができる。しかも、ボトムマージンは印字ヘッドと用紙検出センサとの位置及び用紙後端からの印字停止位置を、予め決められたボトムマージンで規定される印字領域内に納まるべき印字量の最終印字行が実際の印字において該印字領域内に納まらないときに、最終印字行を最終印字行として全て印字できるようにオペレータがボトムマージンを補正することにより設定されるので、最終印字行の全ての印字データがその印字領域内に印字されるように制御可能な装置を提供することができる。」と訂正する。
（５４）【発明の名称】
印字制御装置
（５７）【特許請求の範囲】
　【請求項１】　搬送路を搬送中の枚葉紙からなる用紙の先端と後端を検出する用紙検出センサと、
　搬送路と対向し、前記用紙検出センサの用紙搬送方向下流側に配置された印字ヘッドと、
　前記印字ヘッドと前記用紙検出センサとの位置及び用紙先端からの印字開始位置を第１の設定値として記憶し、該印字ヘッドと該用紙検出センサとの位置及び用紙後端からの印字停止位置を、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより、第２の設定値として記憶する記憶部と、
　予め前記記憶部から第１の設定値を入力する第１のカウンタと、
　予め前記記憶部から第２の設定値を入力する第２のカウンタと、
　前記第１のカウンタの出力に基づいて印字を開始し、前記第２のカウンタの出力に基づいて印字を停止するように印字動作を制御する印字制御部とを備え、
　前記第１のカウンタは前記用紙先端検出出力に基づいてカウントを開始し、前記第１の設定値のカウント終了に基づいて印字開始信号を前記印字制御都に出力し、
　前記第２のカウンタは前記用紙後端検出出力に基づいてカウントを開始し、前記第２の設定値のカウント終了に基づいて印字停止信号を前記印字制御部に出力する
ことを特徴とする印字制御装置。
　【請求項２】　搬送路を搬送中の用紙の先端と後端を検出する用紙検出センサと、
　搬送路と対向し、前記用紙検出センサの用紙搬送方向下流側に配置された印字ヘッドと、
　前記印字ヘッドと前記用紙検出センサとの位置及び用紙先端からの印字開始位置を第１の設定値として記憶し、該印字ヘッドと該用紙検出センサとの位置及び用紙後端からの印字停止位置を第２の設定値として記憶する記憶部と、
　予め前記記憶部から第１の設定値を入力する第１のカウンタと、
　予め前記記憶部から第２の設定値を入力する第２のカウンタと、
　前記第１のカウンタの出力に基づいて印字を開始し、前記第２のカウンタの出力に基づいて印字を停止するように印字動作を制御する印字制御部とを備え、
　前記第１のカウンタは前記用紙先端検出出力に基づいてカウントを開始し、前記第１の設定値のカウント終了に基づいて印字開始信号を前記印字制御部に出力し、
　前記第２のカウンタは前記用紙後端検出出力に基づいてカウントを開始し、前記第２の設定値のカウント終了に基づいて印字停止信号を前記印字制御部に出力し、
　前記印字制御部は、第１のカウンタの設定値の補正と連動させて、第２のカウンタの設定値を補正するよう印字動作を制御することを特徴とする印字制御装置。
【発明の詳細な説明】
（産業上の利用分野）
　本発明は、ワードプロセッサ，コンピュータ等に設けられたプリンタの印字制御装置に関する。
（従来の技術）
　プリンタを用いて印字を行なう場合、通常、その用紙の所定の領域に印字が要求される。実際には、用紙の上端余白（トップマージン）や下端余白（ボトムマージン）等が設定され、これに応じた印字制御が行なわれる。
　第２図に、このような動作を行なう従来の印字制御装置ブロック図を示す。
　図の装置は、用紙１が用紙挿入口２から挿入され、搬送路３上を搬送される際、用紙検出センサ４によって搬送中の用紙の先端と後端を検出し、用紙１上の所定の領域に印字ヘッド５を用いて印字をする制御を行なう装置である。この装置には、装置全体の動作を制御する印字制御部１１が設けられ、オペレータはオペレーション部１２を操作して、上記トップマージンやボトムマージン等の設定を行なう。
　モータ駆動回路部１３から出力される信号により駆動されるラインフィードモータ１４は、用紙１を所定のタイミングで矢印▲１▼方向に搬送する。
　ここで、上記用紙検出センサ４の出力信号は、センサＯＦＦ→ＯＮ検出部１５とセンサＯＮ→ＯＦＦ検出部１６に入力するよう結線されている。また、センサＯＦＦ→ＯＮ検出部１５の出力１５ａは、カウンタ１７に入力するよう結線されている。このセンサＯＦＦ→ＯＮ検出部１５の出力１５ａをカウント開始信号１５ａと呼ぶことにする。
　また、カウンタ１７は、図示しないクロック生成回路から入力するクロックパルスを受入れて、設定値までカウントすると、その出力を、印字制御部１１に向けて供給するよう結線されている。このカウンタ１７のカウントアップ出力を、印字開始信号１７ａと呼ぶことにする。
　尚、印字制御部１１は、予めカウンタ１７に設定値１１ａを供給し、又、カウンタ１７から印字開始信号１７ａを受入れて、モータ駆動回路部１３を起動する一方、カウンタ１７をリセットするリセットパルス１１ｂを出力するよう構成されている。
　一方、センサＯＮ→ＯＦＦ検出部１６の出力は、そのまま印字制御部１１に入力する。この出力を、印字終了信号１６ａと呼ぶことにする。尚、印字制御部１１にはメモリ１８が接続され、ここに、カウンタ１７に設定すべきトップマージンに該当する設定値が記憶されている。
　第３図に、第２図に示した従来装置の動作タイムチャートを示す。
　この図を用いて、第２図の装置の動作を説明する。
　第３図（ａ）のように、第２図に示す用紙検出センサ４の出力は、時刻Ｔ１〜Ｔ３までの間、ハイレベルとなる。即ち、時刻Ｔ１において用紙先端を検出して立上がり、時刻Ｔ３において用紙後端を検出して立ち下がる。
　この間、同図（ｂ）に示すように、クロックパルスＣＫがカウンタ１７に供給される。そして、第３図（ｃ）に示すように、センサＯＦＦ→ＯＮ検出部１５の出力であるカウント開始信号１５ａがカウンタ１７に入力すると、カウンタ１７はクロックパルスＣＫのカウントを開始する。
　時刻Ｔ２において、所定の設定値をカウントし終わると、カウンタ１７から、印字開始信号１７ａが印字制御部１１に向け出力される［第３図（ｄ）］。これによって、印字制御部１１は、モータ駆動回路部１３のトリガを行ない、搬送路を一時停止させ、第１行目の印字を開始する。同時に、リセットパルス１１ｂによりカウンタ１７をリセットする。
　その後、所定の印字が行なわれ、用紙検出センサ４の出力の立ち下がりによって、センサＯＮ→ＯＦＦ検出部１６から印字終了信号１６ａが出力されると［第３図（ｅ）］、印字制御部１１は印字動作を停止する。
　第４図に、上記のような従来装置の用紙印字位置説明図を示す。
　図において、用紙１は、搬送路３上を矢印▲１▼方向に搬送されるものとする。そして、時刻Ｔ１において、用紙１は用紙検出センサ４によってその先端を検出される。その後、第２図のカウンタ１７により設定値までカウントが行なわれ、時刻Ｔ２に印字ヘッド５による印字が開始される。従って、上記カウンタ１７によって、トップマージンＭＴが決定される。
　その後、用紙１が搬送され、印字ヘッド５による印字が実行され、時刻Ｔ３において、用紙１の後端が用紙検出センサ４により検出されると、印字が終了する。これによって、ボトムマージンＭＢが決定される。
（発明が解決しようとする課題）
　ところで、上記のような装置においては、例えば、用紙検出センサ４の取付位置の誤差，ラインフィードモータ１４の駆動ピッチの誤差等の機械的誤差によって、予め想定したトップマージンＭＴに誤差を生じる場合がある。この場合には、カウンタ１７にセットする設定値を増減し、適切な補正を行なう。この補正は、オペレータによる第２図のオペレーション部１２の操作により行なわれる。メモリ１８は、そのような設定値を保持しておき、次回からの印刷の際のトップマージンの設定に使用する。
　一方、ボトムマージンは、用紙１の全長と、印字ヘッド５及び用紙検出センサ４の間隔により、自動的に決定される。しかしながら、この用紙検出センサ４の位置と、印字ヘッド５の取付位置の誤差が大きい場合、あるいは、用紙検出センサ４の検出精度のバラツキ，用紙のサイズや質等によって、最終印字行の位置が、装置毎にあるいは使用する用紙毎に異なってしまう場合がある。従って、所定の規格の用紙であって、印字行間ピッチを一定にしていても、本来、その所定の印字領域内に納まるべき印字データが、領域内に印字できなくなるといった問題も生じていた。
　本発明は以上の点に着目してなされたもので、所定の印字領域を確保し、そこに必要な印字を行なうことのできる印字制御装置を提供することを目的とするものである。
（課題を解決するための手段）
　本発明の第１発明の印字制御装置は、搬送路を搬送中の枚葉紙からなる用紙の先端と後端を検出する用紙検出センサと、搬送路と対向し、前記用紙検出センサの用紙搬送方向下流側に配置された印字ヘッドと、前記印字ヘッドと前記用紙検出センサとの位置及び用紙先端からの印字開始位置を第１の設定値として記憶し、該印字ヘッドと該用紙検出センサとの位置及び用紙後端からの印字停止位置を、予め決められたボトムマージンで規定される印字領域内に納まるべき印字量の最終印字行が実際の印字において該印字領域内に納まらないときに、該最終印字行を最終印字行として全て印字できるようにオペレータが該ボトムマージンを補正することにより、第２の設定値として記憶する記憶部と、予め前記記憶部から第１の設定値を入力する第１のカウンタと、予め前記記憶部から第２の設定値を入力する第２のカウンタと、前記第１のカウンタの出力に基づいて印字を開始し、前記第２のカウンタの出力に基づいて印字を停止するように印字動作を制御する印字制御部とを備え、前記第１のカウンタは前記用紙先端検出出力に基づいてカウントを開始し、前記第１の設定値のカウント終了に基づいて印字開始信号を前記印字制御部に出力し、前記第２のカウンタは前記用紙後端検出出力に基づいてカウントを開始し、前記第２の設定値のカウント終了に基づいて印字停止信号を前記印字制御部に出力することを特徴とするものである。
　また、第２発明の印字制御装置は、印字制御部は、第１のカウンタの設定値の補正と連動させて、第２のカウンタの設定値を補正するよう印字動作を制御することを特徴とするものである。
（作用）
　この装置は、搬送路を搬送中の枚葉紙からなる用紙の先端と後端を検出する用紙検出センサと、搬送路と対向し、用紙検出センサの用紙搬送方向下流側に配置された印字ヘッドと、印字ヘッドと用紙検出センサとの位置及び用紙先端からの印字開始位置を第１の設定値として記憶し、印字ヘッドと用紙検出センサとの位置及び用紙後端からの印字停止位置を、予め決められたボトムマージンで規定される印字領域内に納まるべき印字量の最終印字行が実際の印字において印字領域内に納まらないときに、最終印字行を最終印字行として全て印字できるようにオペレータがボトムマージンを補正することにより、第２の設定値として記憶する記憶部と、第１のカウンタ及び第２のカウンタを設け、第１のカウンタでトップマージンを正確に設定し、第２のカウンタでボトムマージンを独立に正確に設定する。即ち、用紙検出センサが用紙の後端を検出すると、第２のカウンタがカウントを開始して、その計数終了により印字を停止する。これにより、機構寸法誤差、改行ピッチ誤差及び用紙検出誤差の検出精度バラツキによる印字位置ずれを無くすことができる。しかも、ボトムマージンは予め決められたボトムマージンで規定される印字領域内に納まるべき印字量の最終印字行が実際の印字において印字領域内に納まらないときに、最終印字行を最終印字行として全て印字できるように補正して設定されるので、最終印字行の全ての印字データがその印字領域内に印字されるように制御が可能となる。
　また、第１のカウンタの設定値と第２のカウンタの設定値を連動させて、印字領域全体の位置補正も容易になる。
（実施例）
　以下、本発明を図の実施例を用いて詳細に説明する。
　第１図は、本発明の印字制御装置実施例を示すブロック図である。
　図の装置は、既に第２図において説明した従来の印字制御装置に対し、第２のカンウンタ２０を追加した点に特徴がある。即ち、用紙検出センサ４の出力は、センサＯＦＦ→ＯＮ検出部１５及びセンサＯＮ→ＯＦＦ検出部１６に入力するよう結線されている。
　そして、センサＯＮ→ＯＦＦ検出部１６の出力１６ｂは、第２のカウンタ２０に入力するよう結線されている。このセンサＯＮ→ＯＦＦ検出部１６の出力１６ｂをカワント開始信号１６ｂと呼ぶことにする。また、第２のカウンタ２０の出力２０ａは、印字制御部１１に入力するよう結線されており、この第２のカウンタ２の出力２０ａを印字終了信号２０ａと呼ぶことにする。
　また、第２のカウンタ２０には、印字制御部１１からボトムマージンを決定するための設定値１１ｃが入力し、かつ、印字終了後、カウンタをクリアするリセットパルスｌｌｂが入力するよう結線されている。従って、本発明の装置においては、メモリ２５に、第１のカウンタ１７に設定すべき設定値と、第２のカウンタ２０に設定すべき設定値の両方が保持されることなる。
　次に、第５図を用いて、上記装置の動作を説明する。
　第５図は、本発明の装置の動作タイムチャートである。
　第５図（ａ）に示すように、用紙検出センサ４の出力４ａは、時刻Ｔ１に立上がり、時刻Ｔ３に立ち下がる。即ち、時刻Ｔ１において用紙の先端を検出して立上がり、時刻Ｔ３において用紙の後端を検出して立ち下がる。
　この間、第５図（ｂ）に示すように、クロックパルスＣＫが、第１のカウンタ１７及び第２のカウンタ２０に入力する。ここで、用紙検出センサ４の出力４ａが時刻Ｔ１で立上がると、センサＯＦＦ→ＯＮ検出部１５の出力するカウント開始信号１５ａが、第１のカウンタ１７に入力する［第５図（ｃ）］。これによって、第１のカウンタ１７のカウントが開始される。
　第１のカウンタ１７は、予め設定された設定値だけカウントアップつまり計数終了すると、印字開始信号１７ａを印字制御部１１に向け出力する［第５図（ｄ）］。これに対応して、印字制御部１１は、モータ駆動回路部１３をトリガし、ラインフィードモータ１４を一時停止させる。こうして、用紙上に所定の印字が開始される。
　その後、時刻Ｔ３において、用紙検出センサ４が用紙１の後端を検出すると、用紙検出センサ４の出力４ａが立ち下がり、センサＯＮ→ＯＦＦ検出部１６の出力するカウント開始信号１６ｂが、第２のカウンタ２０に向け出力される［第５図（ｅ）］。第２のカウンタ２０は、これを受けて、予め設定された設定値までカウントを開始する。第２のカウンタ２０がカウントアップつまり計数終了すると、第２のカウンタ２０から、印字制御部１１に対し印字終了信号２０ａが出力される［第５図（ｆ）］。印字制御部１１は、この信号を受けて、印字動作を停止する。
　第６図に、本発明の装置の用紙印字位置説明図を示す。
　図のように、用紙１が搬送路３上を矢印▲１▼方向に搬送されると、用紙検出センサ４が、時刻Ｔｌにおいて用紙先端の検出を行なう。そして、第１のカウンタ１７に設定された値に従って、時刻Ｔ２まで用紙１を搬送し、用紙１の搬送を停止させる。この位置から、印字ヘッド５による印字が開始される。従って、従来通り、用紙１の先端にトップマージンＭＴが設定される。
　その後、印字が実行され、時刻Ｔ３に用紙検出センサ４が用紙１の後端を検出すると、再び第２のカウンタによって設定値のカウントが開始され、時刻Ｔ４に最終行の印字が行なわれる。
　即ち、本発明の印字制御装置によれば、ボトムマージンＭＢは、第２のカウンタ２０の設定値により、トップマージンとは独立に任意に調整が可能となる。従って、印字量に応じてボトムマージンを適切な値に設定すれば、本来、印字されるべきものが印字されなくなるといった問題を生じない。このボトムマージンの設定は、トップマージンの設定と同様、第１図に示すオペレーション部１２を操作して行ない、オペレータが、再設定あるいは増減補正を行なうこともできる。
　上記第１のカウンタ１７及び第２のカウンタ２０は、クロックパルスＣＫをカウントし、このクロックパルスＣＫは、ラインフィード用のパルスモータ１４に印加されるパルスに対応させてある。従って、カウンタの設定値を変更すれば、１パルス分ずつ、その搬送量を増減制御することが可能である。
　尚、用紙検出センサ４の検出精度のバラツキが比較的小さく、印字位置のずれ発生要因が機構寸法誤差や改行ピッチ誤差のみであるような場合には、例えば、用紙に印字される第１文字目の印字位置の補正を行なって、第１のカウンタにセットするカウント値を補正した場合、自動的に、第２のカウンタのカウント値も同数だけ補正されるようにすれば、第２のカウンタの設定等を省略でき、オペレータの負担を軽減できる。これは、印字制御部１１の演算によればよい。
　尚、予め、第１のカウンタ及び第２のカウンタにより、トップマージンとボトムマージンが正確に設定され、用紙の全長が判明している場合には、印字制御部１１が印字領域の長さを算出し、印字すべき行との関係から、必要な行間設定を行なうようにしても差し支えない。
　また、カウンタをダウンカウンタとすれば、カウントダウンで計数終了とすればよい。
（発明の効果）
　以上説明した本発明の印字制御装置によれば、用紙検出センサにより用紙の先端と後端を検出し、それぞれ別々のカウンタによって、印字開始位置と印字終了位置を制御するようにしたので、トップマージンとボトムマージンを独立に正確に設定することができ、機構寸法誤差，改行ピッチ誤差及び用紙検出誤差の検出精度バラツキによる印字位置ずれを無くすことができる。しかも、ボトムマージンは印字ヘッドと用紙検出センサとの位置及び用紙後端からの印字停止位置を、予め決められたボトムマージンで規定される印字領域内に納まるべき印字量の最終印字行が実際の印字において該印字領域内に納まらないときに、最終印字行を最終印字行として全て印字できるようにオペレータがボトムマージンを補正することにより設定されるので、最終印字行の全ての印字データがその印字領域内に印字されるように制御可能な装置を提供することができる。
　又、第１のカウンタの設定値と第２のカウンタの設定値を連動させて、印字領域全体の位置補正も容易になる。
【図面の簡単な説明】
第１図は本発明の印字制御装置実施例を示すブロック図、第２図は従来の印字制御装置ブロック図、第３図は従来装置の動作タイムチャート、第４図は従来装置の用紙印字位置説明図、第５図は本発明の装置の動作タイムチャート、第６図は本発明の装置の用紙印字位置説明図である。
１……用紙、２……用紙挿入口、３……搬送路、
４……用紙検出センサ、５……印字ヘッド、
１１……印字制御部、１３……モータ駆動回路部、
１４……ラインフィードモータ、
１７……第１のカウンタ、
２０……第２のカウンタ。